(57)【特許請求の範囲】
【請求項１】
複数の指針を予め設定されたそれぞれの駆動電圧で駆動させる駆動制御手段を備え、
前記駆動制御手段は、
前記複数の指針を早送りで移動させる場合に、前記駆動電圧が同一である前記複数の指針を同時に移動させることを特徴とするアナログ電子時計。
【請求項２】
前記駆動制御手段は、
それぞれに予め設定された早送り速度で移動させることを特徴とする請求項１記載のアナログ電子時計。
【請求項３】
早送りの対象となる指針のうち一部の早送りの方向を反転させて当該一部の指針の駆動電圧を変更して早送りで移動させることで、当該早送りの対象となる指針全てを早送り移動先に移動させるのに必要な早送り時間が短縮される場合には、前記一部の指針の早送りの方向を反転させる早送り設定手段を備えることを特徴とする請求項１又は２に記載のアナログ電子時計。
【請求項４】
前記駆動制御手段は、
前記複数の指針を早送り移動させる場合には、複数の駆動電圧のうちの一つに対応する指針の早送り移動を完了させる毎に前記複数の駆動電圧を順番に切り替えることを特徴とする請求項１〜３の何れか一項に記載のアナログ電子時計。
【発明の詳細な説明】
【技術分野】
【０００１】
この発明は、指針を用いたアナログ電子時計に関する。
【背景技術】
【０００２】
従来、指針を用いて文字盤上の標識を指し示すことにより時刻を表示するアナログ電子
時計において、時刻の修正、指針位置の確認や修正、或いは、タイマー機能やストップウ
ォッチ機能における数値のリセットといった種々の用途で指針の早送り動作が行われてい
る。
【０００３】
このような早送り動作では、正転（時計回り）での早送り、又は、逆転（反時計回り）
での早送りが適宜選択されて利用される。早送り動作において、多くの指針では、正転で
の早送り速度と逆転での早送り速度が異なる。そこで、従来、予め移動先の指針位置が定
められている指針の早送りを行う場合には、正転と逆転とで現在の指針位置から移動先の
指針位置までの移動に要する時間をそれぞれ求め、より短時間で指針が移動先に到達する
方向に指針を早送りさせる技術がある（例えば、特許文献１）。
【先行技術文献】
【特許文献】
【０００４】
【特許文献１】特開平５−９３７８４号公報
【発明の概要】
【発明が解決しようとする課題】
【０００５】
近年、時針や分針といった時刻を表示する指針に加えて、より多くの指針を独立のモー
タで各々駆動させて多様な機能表示を実現するアナログ電子時計がある。このようなアナ
ログ電子時計において、一部の指針を所定の向きに運針する場合の駆動電圧を低く設定す
ることで電力消費を低減させているものがある。しかしながら、従来のアナログ電子時計
の構成では、異なる駆動電圧による指針の駆動を同時に行うことが出来ないので、駆動電
圧ごとに切り替えて順次指針を早送りさせる必要があった。従って、従来の早送り技術で
は、全ての指針の移動を終了するまでに時間を要する場合があるという課題があった。
【０００６】
この発明の目的は、時間のロス無く指針を早送り駆動させることの出来るアナログ電子時計を提供することにある。
【課題を解決するための手段】
【０００７】
本発明は、上記目的を達成するため、
複数の指針を予め設定されたそれぞれの駆動電圧で駆動させる駆動制御手段を備え、
前記駆動制御手段は、
前記複数の指針を早送りで移動させる場合に、前記駆動電圧が同一である前記複数の指針を同時に移動させることを特徴とするアナログ電子時計。
【発明の効果】
【０００８】
本発明に従うと、アナログ電子時計において、時間のロス無く最適な早送りを行うことが出来るという効果がある。
【図面の簡単な説明】
【０００９】
【図１】本発明の第１実施形態のアナログ電子時計を示す正面図である。
【図２】アナログ電子時計の内部構成を示すブロック図である。
【図３】第１実施形態のアナログ電子時計の各指針の動作特性を示す図表である。
【図４】駆動回路における電圧制御の構成を説明する図である。
【図５】第１実施形態のＣＰＵによる早送り制御処理の例を示すフローチャートである。
【図６】第１実施形態のＣＰＵによる早送り制御処理の具体的な例を示すフローチャートである。
【図７】第２実施形態のアナログ電子時計の正面図である。
【図８】第２実施形態のアナログ電子時計の内部構成を示すブロック図である。
【図９】第２実施形態のアナログ電子時計の各指針の動作特性を示す図表である。
【図１０】第２実施形態のＣＰＵによる早送り制御処理の具体的な例を示すフローチャートである。
【図１１】第２実施形態のＣＰＵによる早送り制御処理の具体的な例を示すフローチャートである。
【図１２】第２実施形態のＣＰＵによる早送り制御処理の具体的な例を示すフローチャートである。
【発明を実施するための形態】
【００１０】
以下、本発明の実施の形態を図面に基づいて説明する。
［第１実施形態］
図１は、本発明の第１実施形態のアナログ電子時計１の正面図である。
【００１１】
第１実施形態のアナログ電子時計１は、バンド１０ａ、１０ｂによりユーザの腕に装着
可能な電子腕時計である。このアナログ電子時計１は、ケーシング７と、文字盤９と、文
字盤９の上部を覆う図示略の風防ガラスとの間に回転可能に設けられた時針２、分針３、
及び、秒針４と、文字盤９の下部に設けられたディスク状の機能針５と、ケーシング７の
側面に設けられた押しボタンスイッチＢ１〜Ｂ３及びリュウズＣ１と、風防ガラスの周縁
部に設けられたベゼル８と、などを備えている。
【００１２】
文字盤９には、一の円周上に時刻を表示する目盛が等間隔に６０個設けられている。ま
た、この文字盤９の６時の方向には、小窓９ａが設けられており、機能針５の上面に設け
られた標識のうち一つが選択的に上部に露出される。
時針２、分針３、秒針４、及び、機能針５は、何れも文字盤９の中心に回転軸が設けら
れ、３６０度回転可能となっている。機能針５は、アナログ電子時計１が実行中の機能モ
ードを表示するものであり、図１の例では、時刻表示モードを示す標識“ＷＴ”が小窓９
ａから露出されている。時針２、分針３、及び、機能針５は、それぞれ、１度ステップで
３６０の角度位置を指示することが可能に構成され、また、秒針４は、６度ステップで６
０の角度位置を指示することが可能に構成されている。
【００１３】
図２は、アナログ電子時計１の内部構成を示すブロック図である。
【００１４】
アナログ電子時計１は、ＣＰＵ（Central Processing Unit）１１（早送り設定手段、
初期設定手段、駆動電圧検索手段、早送り方向選択手段）と、ＲＯＭ（Read Only Memory
）１２と、ＲＡＭ（Random Access Memory）１３と、電源部１４と、操作部１５と、発振
回路１６と、分周回路１７と、計時回路１８と、駆動制御手段としての駆動回路５２と、
輪列機構３２を介して時針２を駆動するステッピングモータ４２と、輪列機構３３を介し
て分針３を駆動するステッピングモータ４３と、輪列機構３４を介して秒針４を駆動する
ステッピングモータ４４と、輪列機構３５を介して機能針５を駆動するステッピングモー
タ４５とを備えている。ステッピングモータ４２〜４５は、駆動手段を構成する。
【００１５】
ＣＰＵ１１は、種々の演算処理を行い、また、アナログ電子時計１全体の動作を制御統
括する。ＲＯＭ１２は、ＣＰＵ１１が実行する各種制御プログラムやアプリケーションプ
ログラム、及び、初期設定データを格納している。ＲＯＭ１２が格納するプログラムには
、時針２、分針３、秒針４、及び、機能針５（以降、まとめて指針２〜５とも記す）を早
送りする場合の指針２〜５の回転方向や回転順を設定する早送り設定プログラム１２ａが
含まれている。
【００１６】
ＲＡＭ１３は、ＣＰＵ１１に作業用のメモリ空間を提供し、実行時にＲＯＭ１２から読
み出されて展開されたプログラムや一時データを記憶する揮発性メモリである。
【００１７】
電源部１４は、ＣＰＵ１１及びアナログ電子時計１の各部に電力を供給する。操作部１
５は、ユーザによる押しボタンスイッチＢ１〜Ｂ３及びリュウズＣ１への入力操作を電気
信号に変換してＣＰＵ１１に出力する。
【００１８】
発振回路１６は、例えば、水晶発振回路であり、所定の周波数信号を出力する。分周回
路１７は、発振回路１６から入力された所定の周波数信号を計時回路１８及びＣＰＵ１１
が利用する種々の周波数に変換して出力する。計時回路１８は、分周回路１７で生成され
た１Ｈｚ信号を計数することで現在時刻データを保持する。
【００１９】
駆動回路５２は、ＣＰＵ１１から入力された指針２〜５の動作に係る制御信号に基づい
て、ステッピングモータ４２〜４５にそれぞれ所定の電圧及びパルス幅の駆動パルスを出
力する。ステッピングモータ４２〜４５は、それぞれ、駆動回路５２から入力された駆動
パルスにより回転動作（例えば、１８０度）し、輪列機構３２〜３５を介して各々所定の
ギア比で指針２〜５を独立に駆動する。ここで、ステッピングモータ４２〜４５は、各々
、指針２〜５を正転方向及び逆転方向に運針させることが出来る。ステッピングモータ４
２〜４５が指針２〜５を正転方向または逆転方向に運針させる場合の各々に対し、指針２
〜５各々のトルクといった条件を考慮してステッピングモータ４２〜４５が指針２〜５を
最も早く駆動可能な最大駆動周波数及び指針２〜５を駆動するのに必要な駆動電圧が設定
されている。早送り動作では、通常、この最大駆動周波数が早送り駆動周波数（早送り速
度）に設定されて指針２〜５が駆動される。また、後述するように、正転方向への最大駆
動周波数及び駆動電圧は、逆転方向への最大駆動周波数及び駆動電圧よりそれぞれ大きい
場合が多い。
【００２０】
図３は、指針２〜５を正転又は逆転で駆動する際の駆動電圧と最大駆動周波数とを示し
た図表である。
【００２１】
本実施形態のアナログ電子時計１では、時針２、分針３、及び、秒針４（まとめて時刻
針２〜４と記す）の駆動電圧は、正転方向への駆動、及び、逆転方向への駆動の何れの場
合にも１．６Ｖに設定される。また、時刻針２〜４の駆動周波数は、正転方向への駆動の
場合には、最大６４ｐｐｓ（pulses per second）に設定可能であるが、逆転方向への駆
動の場合には、最大３２ｐｐｓに設定可能である。一方、機能針５の駆動電圧は、正転で
駆動される場合には、１．９Ｖに設定され、逆転で駆動される場合には、１．６Ｖに設定
される。また、機能針５の駆動周波数は、正転での駆動の場合には最大６４ｐｐｓであり
、逆転での駆動の場合には最大３２ｐｐｓである。機能針５のようなディスク状の指針の
駆動には、時刻針２〜４のような針状の指針の駆動と比して高い駆動電圧が必要になる場
合がある。分針３及び秒針４の駆動電圧には、後述する補正パルス及び長パルスについて
の設定が含まれている。
【００２２】
図４は駆動回路５２の構成を説明する図である。
【００２３】
駆動回路５２は、ＣＰＵ１１からの制御信号に基づき、駆動対象の指針２〜５を駆動す
るステッピングモータ４２〜４５にそれぞれ動作信号としての駆動パルスを出力する。こ
の駆動パルスとしては、指針２〜５を正転で駆動する通常パルス（正転パルス）と、指針
２〜５を逆転で駆動する逆転パルスがある。これらの各駆動パルスの駆動電圧は、各々予
め設定されており、設定された駆動電圧がレギュレータからソフトウェア制御されて選択
出力される。従って、異なる駆動電圧の駆動パルスを同時に出力することは出来ない。ま
た、駆動回路５２には、秒針４及び分針３が適切に駆動されたか否かを検出する回転検出
部が設けられ、これらの秒針４又は分針３が適切に駆動されていないことが検出された場
合には、駆動回路５２は、即座に駆動電圧が通常パルス及び逆転パルスより高く設定され
た（例えば、２．２Ｖ）補正パルス、又は、通常パルス及び逆転パルスよりパルス幅の長
い長パルス（駆動電圧は、例えば、１.６Ｖ）を出力することで、再度指針を駆動する。
なお、これらの場合の出力電圧２.２Ｖ、１.６Ｖは、優先的に出力される値であり、他の
指針の正転パルス又は逆転パルスとして、同時にこれらの電圧の駆動パルスを出力するこ
とが出来ない。
【００２４】
次に、第１実施形態のアナログ電子時計１における指針の早送り動作について説明する
。
【００２５】
図５は、ＣＰＵ１１が実行する指針早送り処理の制御手順を示すフローチャートである
。
【００２６】
この指針早送り処理は、時刻表示機能と他の種々の機能とを切り替える場合などで、指
針の移動先が予め定まっている早送りを行う場合にＣＰＵ１１が呼び出して実行する。
【００２７】
指針早送り処理が呼び出されると、ＣＰＵ１１は、先ず、各指針２〜５に対して個別に
早送りの正逆判定を行う（ステップＳ１１）。具体的には、ＣＰＵ１１は、各指針２〜５
の現在の指針位置と、移動先の指針位置とを取得する。そして、時針２、分針３、及び、
機能針５については、現在位置から移動先位置までの正転方向への移動ステップ数が２４
０ステップ以下の場合には、ＣＰＵ１１は、正転で早送りさせる判定を行い、移動ステッ
プ数が２４０ステップよりも大きい場合には、ＣＰＵ１１は、逆転で早送りさせる判定を
行う。また、秒針４については、現在位置から移動先位置までの正転方向への移動ステッ
プ数が４０ステップ以下の場合には、ＣＰＵ１１は、秒針４を正転で早送りさせる判定を
行い、移動ステップ数が４０ステップよりも大きい場合には、ＣＰＵ１１は、秒針４を逆
転で早送りさせる判定を行う。
【００２８】
次に、ＣＰＵ１１は、早送り対象の各指針を早送りさせる際に駆動回路５２がステッピ
ングモータに供給する早送り駆動電圧を取得し、全ての早送り駆動電圧が同一であるか否
かを判別する（ステップＳ１２）。全ての早送り駆動電圧が同一であると判別された場合
には、ＣＰＵ１１の処理は、ステップ１７の処理へ移行する。一方、異なる早送り駆動電
圧が混在していると判別された場合には、ＣＰＵ１１は、続いて、何れかの指針の早送り
方向を判定された向きから反転させることで駆動電圧が他の指針の駆動電圧と等しくなる
場合があるか否かを判別する（ステップＳ１３）。駆動電圧が等しくなる場合がないと判
別された場合には、ＣＰＵ１１の処理は、そのままステップＳ１７に移行する。駆動電圧
が等しくなる場合があると判別された場合には、ＣＰＵ１１は、当該早送り方向を反転さ
せて同一の駆動電圧となる他の指針と共に早送りさせる場合の早送り時間と、早送り方向
を反転させずに順番に早送りさせる場合の早送り時間とをそれぞれ算出し（ステップＳ１
４）、早送り方向を反転させた場合の早送り時間が早送り方向を反転させない場合の早送
り時間より短くなるか否かを判別する（ステップＳ１５）。反転により早送り時間が短く
ならないと判別された場合には、ＣＰＵ１１の処理は、そのままステップＳ１７に移行す
る。反転により早送り時間が短くなると判別された場合には、ＣＰＵ１１は、当該指針の
早送り方向を反転させる（ステップＳ１６）。それから、ＣＰＵ１１の処理は、ステップ
Ｓ１７へ移行する。
【００２９】
ＣＰＵ１１の処理がステップＳ１７に移行すると、ＣＰＵ１１は、早送り対象の各指針
を駆動電圧ごとに順番に設定された早送り方向へ早送り移動させる。即ち、一の駆動電圧
のみの場合には、ＣＰＵ１１は、早送りの対象である指針全てに対して同時に早送りを開
始させ、各々の早送り周波数で早送り先位置に到達するまで早送りを続ける。一方、一本
の指針を駆動するステッピングモータの駆動電圧のみが他の駆動電圧と異なる場合には、
ＣＰＵ１１は、当該他の駆動電圧で他の指針の早送りを行わせ、これら他の指針の早送り
が全て終了した後に駆動電圧を切り替えて、残り一本の指針を駆動させる。そして、全て
の指針の早送りが終了すると、ＣＰＵ１１は、指針早送り処理を終了する。
なお、早送り移動中の駆動パルスで秒針４又は分針３の駆動に失敗した場合、この秒針
４又は分針３が３２ｐｐｓで逆転方向に１．６Ｖの駆動電圧により駆動されている場合に
は、例えば、６４Ｈｚの駆動信号に対し、秒針４又は分針３の駆動信号が出力されないタ
イミングで２．２Ｖの補正パルスを挿入させることが可能である。一方、６４ｐｐｓで正
転方向に駆動されている場合などでは、例えば、当該一連の早送り動作が終了した後、次
の駆動電圧による早送り動作に移行する前に、駆動に失敗した回数分まとめて補正パルス
又は長パルスが挿入される。
【００３０】
図６は、指針早送り処理において、時針２及び機能針５が早送りされる場合の具体的な
制御手順を示すフローチャートである。
【００３１】
ＣＰＵ１１は、先ず、時針２と機能針５の早送り方向の判定を行う（ステップＳ１１０
）。ＣＰＵ１１は、時針２の早送り方向及び当該方向への移動ステップ数Ｎｈと、機能針
５の早送り方向及び当該方向への移動ステップ数Ｎｆとを取得する。図３に示したように
、時針２が正転で駆動される場合、及び、逆転で駆動される場合の何れであっても、ステ
ッピングモータ４２の駆動電圧が１.６Ｖであるのに対し、機能針５が正転で駆動される
場合のステッピングモータ４５の駆動電圧は、１.９Ｖであり、逆転で駆動される場合の
駆動電圧は、１.６Ｖである。そこで、ＣＰＵ１１は、機能針５の早送り方向が正転方向
であるか否かを判別する（ステップＳ１２０）。機能針５の早送り方向が正転方向ではな
いと判別された場合には、時針２及び機能針５を早送りさせる際の駆動電圧が何れも１．
６Ｖになり、ＣＰＵ１１は、駆動回路５２に制御信号を送って時針２を判定された早送り
方向にステップ数Ｎｈ早送りさせると共に、機能針５をステップ数Ｎｆ逆転で早送りさせ
る（ステップＳ１７０）。そして、ＣＰＵ１１は指針早送り処理を終了する。
【００３２】
ステップＳ１２０の判別処理で、機能針５の早送り方向が正転方向であると判別された
場合には、時針２の早送り方向に関わらず時針２と機能針５を早送りする際の駆動電圧が
異なることになる。そこで、ＣＰＵ１１は、次に、機能針５の早送り方向を反転して時針
２の早送り駆動電圧と一致させた場合の早送り時間、及び、異なる駆動電圧のままで順番
に早送り駆動させた場合の早送り時間を算出して比較する処理を行う。先ず、ＣＰＵ１１
は、時針２の早送り方向が正転方向であるか否かを判別する（ステップＳ１３０）。時針
２の早送り方向が正転方向であると判別された場合には、次いで、ＣＰＵ１１は、時針２
を６４ｐｐｓでステップ数Ｎｈ正転方向に早送りさせる時間と機能針５を６４ｐｐｓでス
テップ数Ｎｆ正転方向に早送りさせる時間との和が、機能針５の早送り方向を反転して逆
転方向に３２ｐｐｓでステップ数（３６０−Ｎｆ）早送りさせる時間より短いか否かを判
別する（ステップＳ１５１）。ここで、ステップ数Ｎｈは２４０以下であり、また、ステ
ップ数（３６０−Ｎｆ）は１２０以上である。従って、時針２を正転方向に駆動する時間
Ｎｈ／６４は、最大で３．７５秒であり、機能針５を逆転方向に駆動する時間（３６０−
Ｎｆ）／３２（最小で３．７５秒）以下となるので、機能針５の早送り方向を反転した場
合の早送り時間は、この機能針５の早送りに必要な時間によって定められる。
【００３３】
時針２と機能針５とを順番に正転で早送りさせる時間の和が機能針５を逆転で早送りさ
せる時間より短いと判別された場合には、ＣＰＵ１１は、駆動回路５２に制御信号を送り
、時針２をステップ数Ｎｈ正転で早送りさせた後、機能針５をステップ数Ｎｆ正転で早送
りさせる（ステップＳ１８１）。そして、ＣＰＵ１１は、指針早送り処理を終了する。一
方、時針２と機能針５とを順番に正転で早送りさせる時間の和が機能針５を逆転で早送り
させる時間より長いと判別された場合には、ＣＰＵ１１は、駆動回路５２に制御信号を送
って時針２をステップ数Ｎｈ正転で早送りさせると共に、機能針５をステップ数（３６０
−Ｎｆ）逆転で早送りさせる（ステップＳ１７１）。そして、ＣＰＵ１１は、指針早送り
処理を終了する。
【００３４】
次に、ステップＳ１３０の判別処理で、時針２の早送り方向が逆転方向であると判別さ
れた場合には、次いで、ＣＰＵ１１は、時針２を３２ｐｐｓでステップ数Ｎｈ逆転方向に
早送りさせる時間と機能針５を６４ｐｐｓでステップ数Ｎｆ正転方向に早送りさせる時間
の和が、機能針５の早送り方向を反転させ、３２ｐｐｓでステップ数（３６０−Ｎｆ）逆
転方向に早送りさせる時間より短いか否かを判別する（ステップＳ１５２）。ここで、ス
テップ数Ｎｆは２４０以下であり、また、ステップ数Ｎｈ、（３６０−Ｎｆ）は１２０以
上である。従って、時針２を逆転駆動する時間Ｎｈ／３２は、最大で３．７５秒であり、
この時間は、機能針５を逆転駆動する時間（３６０−Ｎｆ）／３２（最小で３．７５秒）
以下となる。
【００３５】
時針２を逆転で早送りさせ、次いで、機能針５を正転で早送りさせる時間が機能針５を
逆転で早送りさせる時間より短いと判別された場合には、ＣＰＵ１１は、時針２をステッ
プ数Ｎｈ逆転で早送りさせた後、機能針５をステップ数Ｎｆ正転で早送りさせる（ステッ
プＳ１８２）。そして、ＣＰＵ１１は、指針早送り処理を終了する。一方、時針２を逆転
で早送りさせた後、機能針５を正転で早送りさせる時間が機能針５を逆転で早送りさせる
時間より長いと判別された場合には、ＣＰＵ１１は、時針２をステップ数Ｎｈ逆転で早送
りさせると共に、機能針５をステップ数（３６０−Ｎｆ）逆転で早送りさせる（ステップ
Ｓ１７２）。そして、ＣＰＵ１１は、指針早送り処理を終了する。
【００３６】
以上のように、第１実施形態のアナログ電子時計１は、時針２、分針３、秒針４、及び
、機能針５を備え、これらの指針２〜５は、駆動回路５２から入力する駆動パルスにより
動作するステッピングモータ４２〜４５によって、各々独立に駆動される。また、これら
のステッピングモータ４２〜４５には、指針２〜５を各々正転で駆動する場合と逆転で駆
動する場合について、最大駆動周波数と駆動電圧とが設定されている。そして、例えば、
時針２と機能針５とが早送り対象の指針である場合に、先ず、時針２及び機能針５の現在
位置、早送り移動先位置、正転での早送り駆動周波数（最大駆動周波数）、及び、逆転で
の早送り駆動周波数に基づいて、時針２及び機能針５を各々より短い早送り時間で早送り
移動先位置へ移動させるための早送り方向を設定する。このときに、機能針５の早送り方
向が正転方向に設定されたことで駆動電圧が時針２の駆動電圧と異なる場合には、機能針
５の早送り方向を逆転方向に反転させて駆動電圧を時針２と同一とし、機能針５と時針２
とを同時に早送りさせる場合の早送り時間と、機能針５の早送り方向を正転方向のままと
し、機能針５の早送りと時針２の早送りとを別個に順番に行った場合の早送り時間とを算
出して比較する。機能針５の早送り方向を反転させた方が早送り時間が短くなる場合には
、機能針５の早送り方向を反転して早送りを行う。このように、各指針２〜５の駆動電圧
が個別に設定されている場合に、個々の指針の早送りに要する時間が最短ではなくても、
全体として早送り時間が短くなる場合を検索して早送り動作を行うので、電力消費を低減
させながら、早送りに要する時間の増加を抑えることが出来る。
【００３７】
また、一の駆動電圧に係る指針の早送りを完了した後に他の駆動電圧に係る指針の早送
りに移行するので、単純な制御で複数の駆動電圧に係る指針の早送りを必要最小限の時間
で終了させることが出来る。
【００３８】
［第２実施形態］
次に、第２実施形態のアナログ電子時計について説明する。
図７は、第２実施形態のアナログ電子時計１ａの正面図である。また、図８は、第２実
施形態のアナログ電子時計１ａの内部構成を示すブロック図である。
【００３９】
この第２実施形態のアナログ電子時計１ａは、小窓９ａから露出されるディスク状の機
能針５の代わりに、針状の機能針５ａと、小窓９ｂから露出される日車６とを備えている
。日車６は、駆動回路５２から出力された駆動パルスによって動作するステッピングモー
タ４６により輪列機構３６を介して駆動される。この日車６には、１〜３１の３１日分の
日付を示す標識が等間隔に設けられ、１日当たり１５０ステップの合計４６５０ステップ
の回転動作により文字盤９の下面で一周する。その他の構成については、第１実施形態の
アナログ電子時計１と同一であり、同一の符号を付して説明を省略する。また、このアナ
ログ電子時計１ａのＣＰＵ１１が実行する指針早送り処理の全体の制御手順は、図５に示
した第１実施形態のアナログ電子時計１における制御手順と同一であり、説明を省略する
。
【００４０】
図９は、第２実施形態のアナログ電子時計１ａにおいて時針２、分針３、秒針４、機能
針５、及び、日車６を正転及び逆転動作させる際の駆動電圧と駆動可能な最大周波数とを
示した図表である。また、図１０〜図１２は、この駆動電圧設定における指針早送り処理
の制御手順の具体的な例を示すフローチャートである。
【００４１】
このアナログ電子時計１ａでは、全ての指針２〜６が６４ｐｐｓで正転方向への早送り
駆動が可能であり、また、３２ｐｐｓで逆転方向への早送り駆動が可能である。また、秒
針４及び機能針５を正転で駆動する際の駆動電圧が１．９Ｖであるのに対し、逆転で駆動
する際の駆動電圧は、１．６Ｖである。分針３及び日車６を駆動する際の駆動電圧は、正
転での駆動及び逆転での駆動の何れの場合にも１．９Ｖである。時針２を駆動する際の駆
動電圧は、正転での駆動及び逆転での駆動の何れの場合にも１．６Ｖである。
【００４２】
図１０〜図１２のフローチャートでは、秒針４、時針２、及び、機能針５が早送り駆動
される場合の制御手順について説明する。
【００４３】
ＣＰＵ１１は、先ず、早送り対象の秒針４、時針２、及び、機能針５に対し、個別に通
常の早送り正逆判定処理を行う（ステップＳ１１０）。また、ＣＰＵ１１は、この処理で
判定された早送り方向への秒針４の移動ステップ数Ｎｓ、時針２の移動ステップ数Ｎｈ、
及び、機能針５の移動ステップ数Ｎｆをそれぞれ設定する。次に、ＣＰＵ１１は、異なる
駆動電圧での駆動があるか否かを判別する。ＣＰＵ１１は、秒針４の早送り方向が正転で
あるか否かを判別する（ステップＳ１２１）。秒針４の早送り方向が正転であると判別さ
れた場合には、ＣＰＵ１１は、続いて、機能針５の早送り方向が正転であるか否かを判別
する（ステップＳ１２２）。
【００４４】
機能針５の早送り方向が正転であると判別された場合には、ＣＰＵ１１は、時針２の早
送り方向が正転方向であるか否かを判別する（ステップＳ１３１）。時針２の早送り方向
が正転方向であると判別された場合には、秒針４及び機能針５が１．９Ｖの駆動電圧で正
転方向に早送り設定され、また、時針２が１．６Ｖの駆動電圧で正転方向に早送り設定さ
れたことになる。このうち、秒針４及び機能針５は、逆転方向に早送りされる場合には駆
動電圧が１．６Ｖになる。
【００４５】
この場合には、ＣＰＵ１１は、次に、ステップＳ１５３の処理において、秒針４及び機
能針５を正転でそれぞれステップ数Ｎｓ、Ｎｆ早送りさせ、続いて時針２を正転でステッ
プ数Ｎｈ早送りさせた場合の早送り時間ｍａｘ（Ｎｓ、Ｎｆ）／６４＋Ｎｈ／６４が、秒
針４及び機能針５を逆転で早送りさせ、同時に、時針２を正転で早送りさせた場合の早送
り時間（３６０−Ｎｆ）／３２以下であるか否かを判別する。ここで、関数ｍａｘ（Ａ、
Ｂ、…、Ｎ）は、Ａ、Ｂ…、Ｎのうち、最大の値を示す。また、秒針４の早送り方向を反
転させた場合に秒針４の早送りに要する最大時間が５９／３２秒、機能針５の早送り方向
を反転させた場合に機能針５の早送りに要する最小時間が１２０／３２秒、時針２の早送
りに要する最大時間が２４０／６４秒であるので、秒針４及び機能針５の早送り方向を反
転した場合の早送り時間は、機能針５の早送り時間により定まる。秒針４及び機能針５を
逆転で早送りさせた方が早送り時間が短いと判別された場合には、“ＮＯ”に分岐して、
ＣＰＵ１１は、駆動回路５２に制御信号を送り、１．６Ｖの駆動電圧で秒針４をステップ
数（６０−Ｎｓ）逆転方向に早送りさせる処理と、機能針５をステップ数（３６０−Ｎｆ
）逆転方向に早送りさせる処理と、時針２をステップ数Ｎｈ正転方向に早送りさせる処理
とを並行して行う（ステップＳ１７３）。そして、秒針４、時針２、及び、機能針５の早
送りが全て終了すると、ＣＰＵ１１は、指針早送り処理を終了する。秒針４及び機能針５
を正転で早送りさせた場合のほうが早送り時間が短いと判別された場合には、“ＹＥＳ”
に分岐して、ＣＰＵ１１は、駆動回路５２に制御信号を出力し、先ず、１．９Ｖの駆動電
圧で秒針４をステップ数Ｎｓ正転方向に早送りさせ、また、機能針５をステップ数Ｎｆ正
転方向に早送りさせる。それから、ＣＰＵ１１は、１．６Ｖの駆動電圧で時針２をステッ
プ数Ｎｈ正転方向に早送りさせる（ステップＳ１８３）。そして、ＣＰＵ１１は、指針早
送り処理を終了する。
【００４６】
ステップＳ１３１の判別処理で、時針２の早送り方向が逆転方向であると判別された場
合には、秒針４及び機能針５が１．９Ｖの駆動電圧で正転方向に早送り設定され、また、
時針２が１．６Ｖの駆動電圧で逆転方向に早送り設定されたことになる。秒針４及び機能
針５が逆転で早送りされる場合の駆動電圧は、１．６Ｖである。そこで、ステップＳ１５
４の処理において、ＣＰＵ１１は、秒針４及び機能針５を正転で早送りさせ、続いて時針
２を逆転で早送りさせた場合の早送り時間ｍａｘ（Ｎｓ、Ｎｆ）／６４＋Ｎｈ／３２が、
秒針４及び機能針５を逆転で早送りさせると共に、時針２を逆転で早送りさせた場合の早
送り時間（３６０−Ｎｆ）／３２以下であるか否かを判別する。秒針４及び機能針５を逆
転で早送りさせた方が早送り時間が短いと判別された場合には、“ＮＯ”に分岐して、Ｃ
ＰＵ１１は、１．６Ｖの駆動電圧で、秒針４をステップ数（６０−Ｎｓ）逆転方向に早送
りさせる処理と、機能針５をステップ数（３６０−Ｎｆ）逆転方向に早送りさせる処理と
、時針２をステップ数Ｎｈ逆転方向に早送りさせる処理とを並行して行う（ステップＳ１
７４）。そして、ＣＰＵ１１は、指針早送り処理を終了する。秒針４及び機能針５を正転
で早送りさせた場合のほうが早送り時間が短いと判別された場合には、“ＹＥＳ”に分岐
して、ＣＰＵ１１は、先ず、１．９Ｖの駆動電圧で秒針４をステップ数Ｎｓ正転方向に早
送りさせると共に、機能針５をステップ数Ｎｆ正転方向に早送りさせる。それから、ＣＰ
Ｕ１１は、１．６Ｖの駆動電圧で、時針２をステップ数Ｎｈ逆転方向に早送りさせる（ス
テップＳ１８４）。そして、ＣＰＵ１１は、指針早送り処理を終了する。
【００４７】
次に、ステップＳ１２２の判別処理において、機能針５の早送り方向が正転方向ではな
いと判別された場合には、図１１に示すように、ＣＰＵ１１は、時針２の早送り方向が正
転方向であるか判別する（ステップＳ１３２）。時針２の早送り方向が正転方向であると
判別された場合には、秒針４が１．９Ｖの駆動電圧で正転方向に早送り設定され、また、
機能針５及び時針２が１．６Ｖの駆動電圧でそれぞれ逆転方向及び正転方向に早送り設定
されたことになる。このとき、秒針４が逆転方向に早送りされる場合には、駆動電圧が１
．６Ｖになる。
【００４８】
この場合に、ＣＰＵ１１は、次に、ステップＳ１５５の処理において、秒針４をステッ
プ数Ｎｓ正転で早送りさせ、続いて、機能針５をステップ数Ｎｆ逆転で早送りさせると共
に時針２をステップ数Ｎｈ正転で早送りさせた場合の早送り時間Ｎｓ／６４＋ｍａｘ（Ｎ
ｆ／３２、Ｎｈ／６４）が、秒針４及び機能針５を逆転で早送りさせると共に、時針２を
正転で早送りさせた場合の早送り時間ｍａｘ（（６０−Ｎｓ）／３２、Ｎｆ／３２、Ｎｈ
／６４）以下であるか否かを判別する。秒針４の早送り方向を反転して逆転で早送りさせ
た方が早送り時間が短いと判別された場合には、“ＮＯ”に分岐して、ＣＰＵ１１は、１
．６Ｖの駆動電圧で、秒針４をステップ数（６０−Ｎｓ）逆転方向に早送りさせる処理と
、機能針５をステップ数Ｎｆ逆転方向に早送りさせる処理と、時針２をステップ数Ｎｈ正
転方向に早送りさせる処理と、を並行して行う（ステップＳ１７５）。そして、ＣＰＵ１
１は、指針早送り処理を終了する。秒針４を正転で早送りさせた方が早送り時間が短いと
判別された場合には、“ＹＥＳ”に分岐して、ＣＰＵ１１は、先ず、１．９Ｖの駆動電圧
で秒針４をステップ数Ｎｓ正転方向に早送りさせる。それから、ＣＰＵ１１は、１．６Ｖ
の駆動電圧で、機能針５をステップ数Ｎｆ逆転方向に早送りさせると共に、時針２をステ
ップ数Ｎｈ正転方向に早送りさせる（ステップＳ１８５）。そして、ＣＰＵ１１は、指針
早送り処理を終了する。
【００４９】
ステップＳ１３２の判別処理で、時針２の早送り方向が逆転方向であると判別された場
合には、秒針４が１．９Ｖの駆動電圧で正転方向に早送り設定され、また、機能針５及び
時針２が１．６Ｖの駆動電圧で逆転方向に早送り設定されたことになる。ここで、秒針４
が逆転方向に早送りされる場合の駆動電圧は、１．６Ｖである。そこで、ステップＳ１５
６の処理において、ＣＰＵ１１は、秒針４を正転で早送りさせ、続いて機能針５及び時針
２を逆転で早送りさせた場合の早送り時間Ｎｓ／６４＋ｍａｘ（Ｎｆ、Ｎｈ）／３２が、
秒針４、機能針５、及び、時針２を全て並列に逆転で早送りさせた場合の早送り時間ｍａ
ｘ（６０−Ｎｓ、Ｎｆ、Ｎｈ）／３２以下であるか否かを判別する。秒針４、機能針５、
及び、時針２を全て逆転で早送りさせた方が早送り時間が短いと判別された場合には、“
ＮＯ”に分岐して、ＣＰＵ１１は、１．６Ｖの駆動電圧で、秒針４をステップ数（６０−
Ｎｓ）逆転方向に早送りさせる処理と、機能針５をステップ数Ｎｆ逆転方向に早送りさせ
る処理と、時針２をステップ数Ｎｈ逆転方向に早送りさせる処理とを並行して行う（ステ
ップＳ１７６）。そして、ＣＰＵ１１は、指針早送り処理を終了する。秒針４を正転で早
送りさせた方が早送り時間が短いと判別された場合には、“ＹＥＳ”に分岐して、ＣＰＵ
１１は、先ず、１．９Ｖの駆動電圧で秒針４をステップ数Ｎｓ正転方向に早送りさせる。
それから、ＣＰＵ１１は、１．６Ｖの駆動電圧で、機能針５をステップ数Ｎｆ逆転方向に
早送りさせると共に、時針２をステップ数Ｎｈ逆転方向に早送りさせる（ステップＳ１８
６）。そして、ＣＰＵ１１は、指針早送り処理を終了する。
【００５０】
次に、ステップＳ１２１の判別処理において、秒針４の早送り方向が逆転方向であると
判別された場合には、図１２に示すように、ＣＰＵ１１は、機能針５の早送り方向が正転
方向であるか否かを判別する（ステップＳ１２３）。機能針５の早送り方向が正転方向で
あると判別された場合には、ＣＰＵ１１は、時針２の早送り方向が正転方向であるか否か
を判別する（ステップＳ１３３）。時針２の早送り方向が正転方向であると判別された場
合には、機能針５が１．９Ｖの駆動電圧で正転方向に早送り設定され、また、秒針４及び
時針２が１．６Ｖの駆動電圧でそれぞれ逆転方向及び正転方向に早送り設定されているこ
とになる。このとき、機能針５が逆転方向に早送りされる場合には、駆動電圧が１．６Ｖ
になる。
【００５１】
この場合には、ＣＰＵ１１は、次に、ステップＳ１５７の処理において、機能針５をス
テップ数Ｎｆ正転で早送りさせ、続いて秒針４をステップ数Ｎｓ逆転で早送りさせると共
に、時針２をステップ数Ｎｈ正転で早送りさせた場合の早送り時間Ｎｆ／６４＋ｍａｘ（
Ｎｓ／３２、Ｎｓ／６４）が、機能針５の早送り方向を反転して、機能針５及び秒針４を
逆転で早送りさせると共に、時針２を正転で早送りさせた場合の早送り時間（３６０−Ｎ
ｆ）／３２以下であるか否かを判別する。ここで、秒針４の最大早送り時間が５９／３２
秒、時針２の最大早送り時間が２４０／６４秒であるのに対し、機能針５の早送り方向を
反転した場合の最小早送り時間が１２０／３２秒であるので、機能針５の早送り方向を反
転した場合の早送り時間は、この機能針５の早送り時間により定まる。機能針５を逆転で
早送りさせた方が早送り時間が短いと判別された場合には、“ＮＯ”に分岐して、ＣＰＵ
１１は、１．６Ｖの駆動電圧で、秒針４をステップ数Ｎｓ逆転方向に早送りさせる処理と
、機能針５をステップ数３６０−Ｎｆ逆転方向に早送りさせる処理と、時針２をステップ
数Ｎｈ正転方向に早送りさせる処理とを並行して行う（ステップＳ１７７）。そして、Ｃ
ＰＵ１１は、指針早送り処理を終了する。機能針５を正転で早送りさせた方が早送り時間
が短いと判別された場合には、“ＹＥＳ”に分岐して、ＣＰＵ１１は、先ず、１．９Ｖの
駆動電圧で機能針５をステップ数Ｎｆ正転方向に早送りさせる。それから、ＣＰＵ１１は
、１．６Ｖの駆動電圧で、秒針４をステップ数Ｎｓ逆転方向に早送りさせると共に、時針
２をステップ数Ｎｈ正転方向に早送りさせる（ステップＳ１８７）。そして、ＣＰＵ１１
は、指針早送り処理を終了する。
【００５２】
ステップＳ１３３の判別処理で、時針２の早送り方向が逆転方向であると判別された場
合には、機能針５が１．９Ｖの駆動電圧で正転方向に早送り設定され、また、秒針４及び
時針２が１．６Ｖの駆動電圧でそれぞれ逆転方向に早送り設定されていることになる。こ
こで、機能針５が逆転で早送りされる場合の駆動電圧は、１．６Ｖである。そこで、ステ
ップＳ１５８の処理において、ＣＰＵ１１は、機能針５を正転で早送りさせ、続いて秒針
４及び時針２を逆転で早送りさせる場合の早送り時間Ｎｆ／６４＋ｍａｘ（Ｎｓ、Ｎｈ）
／３２が、機能針５の早送り方向を反転して、機能針５、秒針４、及び、時針２を何れも
逆転で並列に早送りさせた場合の早送り時間（３６０−Ｎｆ）／３２以下であるか否かを
判別する。機能針５を逆転で早送りさせた方が早送り時間が短いと判別された場合には、
“ＮＯ”に分岐して、ＣＰＵ１１は、１．６Ｖの駆動電圧で、秒針４をステップ数Ｎｓ逆
転方向に早送りさせる処理と、機能針５をステップ数（３６０−Ｎｆ）逆転方向に早送り
させる処理と、時針２をステップ数Ｎｈ逆転方向に早送りさせる処理とを並行して行う（
ステップＳ１７８）。そして、ＣＰＵ１１は、指針早送り処理を終了する。機能針５を正
転で早送りさせた方が早送り時間が短いと判別された場合には、“ＹＥＳ”に分岐して、
ＣＰＵ１１は、先ず、１．９Ｖの駆動電圧で機能針５をステップ数Ｎｆ正転方向に早送り
させる。それから、ＣＰＵ１１は、１．６Ｖの駆動電圧で、秒針４及び時針２をそれぞれ
ステップ数Ｎｓ、Ｎｈ逆転方向に早送りさせる（ステップＳ１８８）。そして、ＣＰＵ１
１は、指針早送り処理を終了する。
【００５３】
ステップＳ１２３の判別処理において、機能針５の早送り方向が逆転方向であると判別
された場合には、時針２の早送り方向に関わらず、秒針４、機能針５、及び、時針２を駆
動する際の駆動電圧が全て１．６Ｖとなる。従って、この場合には、秒針４、機能針５、
及び、時針２をそのまま並列的に駆動させることで、早送り時間を最も短くすることが出
来る。ＣＰＵ１１は、時針２の早送り方向が正転方向であるか否かを判別し（ステップＳ
１２４）、正転方向であると判別された場合には、ＣＰＵ１１は、秒針４をステップ数Ｎ
ｓ逆転で早送りさせる処理と、機能針５をステップ数Ｎｆ逆転で早送りさせる処理と、時
針２をステップ数Ｎｈ正転で早送りさせる処理とを並行して行う（ステップＳ１７９）。
そして、ＣＰＵ１１は、指針早送り処理を終了する。一方、時針２の早送り方向が逆転方
向であると判別された場合には、ＣＰＵ１１は、秒針４をステップ数Ｎｓ逆転で早送りさ
せる処理と、機能針５をステップ数Ｎｆ逆転で方向に早送りさせる処理と、時針２をステ
ップ数Ｎｈ逆転で早送りさせる処理とを並行して行う（ステップＳ１８０）。そして、Ｃ
ＰＵ１１は、指針早送り処理を終了する。
【００５４】
以上のように、第２実施形態のアナログ電子時計１ａによれば、時針２、秒針４、及び
、機能針５のように３本以上の指針を早送りする場合であっても、複数の駆動電圧が設定
されていて、一部の指針の早送り方向を反転させることでトータルの早送り時間が短縮さ
れる場合には、各指針２、４、５に対して個別に求められた早送り方向を反転させて、同
一の駆動電圧に係る指針のステッピングモータに対しては同時に指針を駆動させ、異なる
駆動電圧に係る指針のステッピングモータに対しては、順番に指針を駆動させるように構
成することが出来る。このように、複数の指針の早送りを行う場合に複数の駆動電圧が設
定されている場合には、先ず、個別に早送り方向を設定した後に、早送り方向を反転する
ことで駆動電圧が変更されるステッピングモータを選択し、当該ステッピングモータによ
る早送り方向を反転する場合と反転しない場合で各々トータルの早送り時間を算出し、こ
れらの算出された早送り時間を比較することで早送り方向の反転の有無を決定する。従っ
て、早送りの対象となる指針の本数に応じて処理を繰り返すことで、適宜早送りの方向を
調整可能であるとともに、処理内容を複雑化せずに容易に早送り時間の短縮を図ることが
出来る。
【００５５】
なお、本発明は、上記実施の形態に限られるものではなく、様々な変更が可能である。
例えば、上記実施の形態では、早送り方向を反転させることで全ての指針の駆動電圧を
一致させる場合について説明したが、複数の駆動電圧のままであっても、一部の指針の早
送り方向を反転させることで全体の早送り時間を短縮することが出来る場合には、本発明
を適用することが出来る。同様に、早送りに３種類以上の駆動電圧が設定されている場合
でも、駆動電圧を１種類に統一する場合、２種類に減らす場合、３種類のままの場合の各
状況において、全体の早送り時間を短縮することができる場合には、一部の指針の早送り
方向を反転して各指針の早送りを行うこととしても良い。
【００５６】
また、上記実施の形態では、駆動回路５２をＣＰＵ１１と別個の構成としたが、ＣＰＵ
１１が全て指針の駆動制御に係る処理を行うこととしても良い。
【００５７】
また、上記実施の形態では、２種類の最大駆動周波数の場合を示したが、３種類以上の
最大駆動周波数があっても良い。
【００５８】
また、上記実施の形態では、一の駆動電圧に係る指針の早送りが完了してから他の駆動
電圧に係る指針の早送りに移行したが、所定の周期で複数の駆動電圧を順番に切り替えな
がら複数の指針を早送りさせることも可能である。その他、上記実施の形態で示した具体
的な細部や数値、制御手順などは、本発明の趣旨を逸脱しない範囲において適宜変更可能
である。
【００５９】
本発明のいくつかの実施形態を説明したが、本発明の範囲は、上述の実施の形態に限定
するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通り
である。
【００６０】
［付記］
＜請求項１＞
複数の指針と、
前記複数の指針を各々独立に駆動する駆動手段と、
前記指針の移動タイミングで前記駆動手段に当該指針を駆動させるための動作信号を出
力する駆動制御手段と、
前記指針を早送りで移動させる場合に、前記指針の早送りの方向に応じて当該指針毎に
それぞれ予め設定された早送り速度に基づいて、前記早送りの対象となる指針をそれぞれ
の早送り移動先に最短時間で移動させる早送りの方向を定める早送り設定手段と、
を備え、
前記動作信号は、前記複数の指針の移動の方向に応じて当該指針毎にそれぞれ駆動電圧
が予め設定されており、
前記駆動制御手段は、前記複数の指針を早送りで移動させる場合に、前記駆動電圧が同
一である複数の前記指針を駆動させる前記動作信号を各々設定された前記早送り速度で出
力し、
前記早送り設定手段は、
前記早送りの対象となる指針のうち一部の早送りの方向を反転させて当該一部の指針の
駆動電圧を変更して早送りで移動させることで、当該早送りの対象となる指針全てを前記
早送り移動先に移動させるのに必要な早送り時間が短縮される場合には、前記一部の指針
の早送りの方向を反転させる
ことを特徴とするアナログ電子時計。
＜請求項２＞
前記早送り設定手段は、
前記早送りの対象となる指針が各々最短時間で早送り移動先に移動可能な早送りの方向
を設定する初期設定手段と、
当該初期設定手段によって得られた前記設定に複数の駆動電圧による前記駆動手段の動
作が含まれる場合には、前記早送りの対象となる指針に、設定された早送りの方向を反転
させた場合の駆動電圧が他の前記早送りの対象となる指針の駆動電圧と等しくなるものが
含まれているか否かを判別する駆動電圧検索手段と、
前記駆動電圧検索手段により、前記早送りの対象となる指針に、早送りの方向を反転さ
せた場合の駆動電圧が前記他の早送りの対象となる指針の駆動電圧と等しくなるものが含
まれていると判別された場合には、当該指針の早送りの方向を反転させた場合の前記早送
り時間と、前記早送りの方向を反転させない場合の前記早送り時間とを比較して、より短
い早送り時間で全ての前記早送りの対象となる指針の早送り動作が終了する早送りの方向
を選択する早送り方向選択手段と
を備える
ことを特徴とする請求項１記載のアナログ電子時計。
＜請求項３＞
前記駆動制御手段は、
複数の前記駆動電圧の動作信号により前記複数の指針を早送り移動させる場合には、当
該複数の駆動電圧のうちの一つに対応する指針の早送り移動を完了させる毎に前記複数の
駆動電圧を順番に切り替える
ことを特徴とする請求項１又は２に記載のアナログ電子時計。
【符号の説明】
【００６１】
１、１ａ アナログ電子時計
２ 時針
３ 分針
４ 秒針
５、５ａ 機能針
６ 日車
７ ケーシング
８ ベゼル
９ 文字盤
９ａ、９ｂ 小窓
１０ａ、１０ｂ バンド
１１ ＣＰＵ
１２ ＲＯＭ
１２ａ 設定プログラム
１３ ＲＡＭ
１４ 電源部
１５ 操作部
１６ 発振回路
１７ 分周回路
１８ 計時回路
３２〜３６ 輪列機構
４２〜４６ ステッピングモータ
５２ 駆動回路
Ｂ１〜Ｂ３ 押しボタンスイッチ
Ｃ１ リュウズ
【図１】
0005994914.tif 000002
【図２】
0005994914.tif 000003
【図３】
0005994914.tif 000004
【図４】
0005994914.tif 000005
【図５】
0005994914.tif 000006
【図６】
0005994914.tif 000007
【図７】
0005994914.tif 000008
【図８】
0005994914.tif 000009
【図９】
0005994914.tif 000010
【図１０】
0005994914.tif 000011
【図１１】
0005994914.tif 000012
【図１２】
0005994914.tif 000013